(57)【要約】      （修正有）【課題】小便器手前への尿零れを防止して小便器周囲の汚れ発生を防止することが可能な小便器用踏み台を提供する。【解決手段】小便器１の手前であって床３上には小便器用踏み台２１が設置されている。小便器用踏み台２１は、踏み台本体２３と、この踏み台本体２３の上面に着脱自在に設置されるマット２５とから構成されている。踏み台２３は予め所定の傾斜角度（α°）にて傾斜した状態で形成されている。それによって、小便器手前における尿零れを防止して、小便器の周囲が汚れてしまうことを効果的に防止することができ、ひいては小便器及びその周囲の保守・管理が容易になる。【選択図】図１
0003109775.tif 000002
【実用新案登録請求の範囲】
【請求項１】
小便器の近傍所定位置に設置され、上記小便器に向かって下り勾配になるような所定角度で傾斜していることを特徴とする小便器用踏み台。
【請求項２】
請求項１記載の小便器用踏み台において、
小便器の近傍所定位置に設置され、上記小便器に向かって下り勾配になるような所定角度で傾斜した踏み台本体と、
上記踏み台本体の上面に着脱可能に設置されたマットと、
を具備したことを特徴とする小便器用踏み台。
【請求項３】
請求項２記載の小便器用踏み台において、
上記踏み台本体の上面には凹面部が形成されていて、上記マットはこの凹面部に嵌合・配置されていることを特徴とする小便器用踏み台。
【請求項４】
請求項３記載の小便器用踏み台において、
上記マットには前方への滑りを止める滑り止め用凹凸部が設けられていることを特徴とする小便器用踏み台。
【請求項５】
請求項４記載の小便器用踏み台において、
上記踏み台本体の凹面部にも凹凸部が形成されていて、上記マットの滑り止め用凹凸部は上記踏み台本体側の凹凸部に嵌合するように形成されていることを特徴とする小便器用踏み台。
【請求項６】
請求項５記載の小便器用踏み台において、
上記踏み台本体には、上記小便器が取り付けられている壁に支持部材を当てることにより上記踏み台本体の設置位置を固定する設置位置固定手段が設けられていることを特徴とする小便器用踏み台。
【請求項７】
請求項６記載の小便器用踏み台において、
上記支持部材の先端には上記壁に密着・固定される吸着パットが取り付けられていることを特徴とする小便器用踏み台。
【考案の詳細な説明】
【技術分野】
【０００１】
本考案は、小便器用踏み台に係り、特に、小便器の側に向けて下り勾配に構成することにより、放尿時に尿が確実に小便器内に入るように工夫したものに関する。
【背景技術】
【０００２】
図９は小便器における放尿時の様子を示す側面図である。まず、小便器１０１が壁１０３と床１０４との境界角部に取り付けられている。使用者１０５は上記小便器１０１の前方の任意の位置に立って放尿することになる。
【考案の開示】
【考案が解決しようとする課題】
【０００３】
上記従来の構成によると次のような問題があった。
すなわち、使用者１０５は小便器１０１に対して任意の距離感覚に基づいて立つ位置を決めるものであるが、その際、小便器１０１に対して距離をとり過ぎることがあり、その結果、放尿時に尿１０７か小便器１０１内に入らずに、小便器１０１の手前に零れてしまうことがあった。特に、高齢者においてはその傾向が顕著であった。
このような尿零れがあると小便器１０１の周囲が汚れてしまうことになり、その改善が要求されていた。
【０００４】
尚、本願考案と直接関連するものではないが、小便器用マット等を開示するものとして、例えば、特許文献１、特許文献２、特許文献３、特許文献４等がある。
【０００５】
【特許文献１】特開平０８−２４１６５号公報
【特許文献２】特開平０９−１５４７７５号公報
【特許文献３】特開２００２−１６５７２９号公報
【特許文献４】実用新案登録第３０６０８０５号公報
【０００６】
本考案はこのような点に基づいてなされたものでその目的とするところは、小便器手前への尿零れを防止して小便器周囲の汚れ発生を防止することが可能な小便器用踏み台を提供することにある。
【課題を解決するための手段】
【０００７】
上記目的を達成するべく本願考案の請求項１による小便器用踏み台は、小便器の近傍所定位置に設置され、上記小便器に向かって下り勾配になるような所定角度で傾斜していることを特徴とするものである。
又、請求項２による小便器用踏み台は、請求項１記載の小便器用踏み台において、小便器の近傍所定位置に設置され、上記小便器に向かって下り勾配になるような所定角度で傾斜した踏み台本体と、上記踏み台本体の上面に着脱可能に設置されたマットと、を具備したことを特徴とするものである。
又、請求項３による小便器用踏み台は、請求項２記載の小便器用踏み台において、上記踏み台本体の上面には凹面部が形成されていて、上記マットはこの凹面部に嵌合・配置されていることを特徴とするものである。
又、請求項４による小便器用踏み台は、請求項３記載の小便器用踏み台において、上記マットには前方への滑りを止める滑り止め用凹凸部が設けられていることを特徴とするものである。
又、請求項５による小便器用踏み台は、請求項４記載の小便器用踏み台において、上記踏み台本体の凹面部にも凹凸部が形成されていて、上記マットの滑り止め用凹凸部は上記踏み台本体側の凹凸部に嵌合するように形成されていることを特徴とするものである。
又、請求項６による小便器用踏み台は、請求項５記載の小便器用踏み台において、上記踏み台本体には、上記小便器が取り付けられている壁に支持部材を当てることにより上記踏み台本体の設置位置を固定する設置位置固定手段が設けられていることを特徴とするものである。
又、請求項７による小便器用踏み台は、請求項６記載の小便器用踏み台において、上記支持部材の先端には上記壁に密着・固定される吸着パットが取り付けられていることを特徴とするものである。
【考案の効果】
【０００８】
以上述べたように、本願考案による小便器用踏み台は、小便器の近傍所定位置に設置され、上記小便器に向かって下り勾配になるような所定角度で傾斜した構成になっているので、小便器の周囲が汚れることを防止することができる。
又、小便器の近傍所定位置に設置され、上記小便器に向かって下り勾配になるような所定角度で傾斜した踏み台本体と、上記踏み台本体の上面に着脱可能に設置されたマットと、から構成した場合には、マットを定期的に交換することによって、綺麗な状態を維持することができる。
又、上記踏み台本体の上面に凹面部を形成して、上記マットをこの凹面部に嵌合・配置させた場合には、マットの位置を規定することができ、マットの不用意な離脱を防止することができる。
又、上記マットに前方への滑りを止める滑り止め用凹凸部を設けた場合には、使用者が前方に向かって滑るようなことを防止することができる。
又、上記踏み台本体の凹面部にも凹凸部を形成して、上記マットの滑り止め用凹凸部を上記踏み台本体側の凹凸部に嵌合させるように構成した場合には、マットの位置ずれをさらに確実に防止することができる。具体的には、マットの凹面部内における位置ずれや撓みを防止することができる。
又、上記踏み台本体に、上記小便器が取り付けられている壁に支持部材を当てることにより上記踏み台本体の設置位置を固定する設置位置固定手段を設けられた場合には、小便器用踏み台が不用意に移動してしまうことを防止することができる。
又、上記支持部材の先端に上記壁に密着・固定される吸着パットを取り付けた場合には、小便器用踏み台の位置をさらに強固に固定してその不用意な移動を防止することができる。
【考案を実施するための最良の形態】
【０００９】
以下、図１乃至図７を参照して本考案の第１の実施の形態を説明する。図１に示すように、小便器１があり、この小便器１は、床３と壁５との境界角部に設置されている。上記小便器１は高さ方向に延長されているタイプのものであり、背面壁体７と、上記背面壁体７の左右両側に設けられた一対の側面壁体９、１１と、天井壁体１３と、底面壁体１５とから構成されている。そして、上記底面壁体１５の上方位置には壁５から離間する方向に突出・配置された尿受け部１７が設けられている。
尚、上記天井壁体７の正面側には赤外線センサ１９が取り付けられている。
【００１０】
上記小便器１の手前であって上記床３上には小便器用踏み台２１が設置されている。上記小便器用踏み台２１は、図２にも示すように、踏み台本体２３と、この踏み台本体２３の上面に着脱自在に設置されるマット２５とから構成されている。上記踏み台２３は予め所定の傾斜角度（α°）にて傾斜した状態で成形されている。この実施例においては１０°に設定されている。
尚、その傾斜角度（α°）を１０°に限定するものではない。  
【００１１】
上記踏み台本体２３は、図４、図５、図６に示すように、縦横に複数本のリブ２３ａを延長させた構成になっていて、それによって、軽量化と高剛性化を図っている。又、上記踏み台本体２３の上面には、所定の深さの凹面部２７が形成されている。この凹面部２７には複数の凸条部２９が形成されている。上記凹面部２７には既に説明したマット２５が着脱自在に嵌め込まれている。
【００１２】
上記マット２５の上面には複数の凸条部３１が形成されていて、これら凸条部３１は踏み台本体２３の傾斜方向と直交する方向に延長・形成されている。これら複数個の凸条部３１によって使用時における傾斜下り方向への滑りを止めるようにしている。
尚、上記凸条部３１の下面側には上記凸条部２９が嵌合した状態になっている。
【００１３】
上記踏み台本体２３には、踏み台本体２３ひいては小便器用踏み台２１の位置を固定するための設置位置固定手段４１が取り付けられている。上記設置位置固定手段４１は、左右に夫々取り付けられた板状スライド部材４３、４３と、これら板状スライド部材４３、４３の先端に取り付けられた吸着パット４５、４５と、上記板状スライド部材４３、４３の位置を固定するためのねじ部材４７、４７等から構成されている。
【００１４】
上記板状スライド部材４３、４３は、図４に示すように、踏み台本体２３の背面側に設けられた溝４９、４９に移動可能に嵌合・配置されていて、又、上記板状スライド部材４３には長穴５１、５１が形成されている。そして、上記長穴５１の長手方向の範囲内で板状スライド部材４３、４３を  移動させ、任意の位置にてねじ部材４７、４７によって固定する。それによって、板状スライド部材４３、４３の踏み台本体２３からの突出量が設定される。後は、吸着パット４５、４５を壁５に押し当てた状態で設置すればよい。
【００１５】
以上の構成を基にその作用を説明する。
まず、板状スライド部材４３、４３の突出量を調整してねじ部材４７、４７によって固定する。次に、板状スライド部材４３、４３の先端に取り付けられた吸着パット４５、４５を壁５に押し付けて吸着・固定する。それによって、小便器用踏み台２１の位置が固定される。
【００１６】
次に、使用時であるが、図７に示すように、使壁用者５１は、踏み台２１上に立って放尿する。その際、踏み台２１は小便器１側に向かって下り勾配に傾斜しているので、尿５３がより前方に放出されることになる。実験によると、傾斜角度（α°）を
１０°に設定することにより、平均で５〜６ｃｍ程度前方に放出されることが確認されている。 
【００１７】
以上本実施の形態によると次のような効果を奏することができる。
まず、本実施の形態による小便器用踏み台２１を使用することにより、小便器１の手前における尿零れを効果的に防止することができる。又、それによって、小便器１の周囲が汚れることを防止することができる。
又、踏み台本体２３の上にマット２５が着脱自在に設けられているので、マット２５を定期的に交換することによって、綺麗な状態を維持することができる。
又、マット２５は踏み台本体２３の凹面部２７内に嵌合・配置されているので、マット２５が踏み台本体２３から外れてしまうようなことを防止することができる。
又、マット２５には滑り止めの凸条部３１が設けられているので、使用者５１が前方に向かって滑るようなこともない。
又、マット２５の凸条部３１は踏み台本体２３側の凸条部２９に嵌合するように構成されているので、マット２５の凹面部２７内における位置ずれや撓みを防止することができる。
又、設置位置固定手段４１によって踏み台２１の位置は固定されているので、不用意に移動してしまうこともない。
特に、吸着パット４５、４５によって壁５に固定されているので不用意な移動を確実に防止することができる。
又、板状スライド部材４３、４３の突出量を調整することにより、小便器用踏み台２１の設置位置を適宜調整することができる。
又、踏み台本体２３は複数のリブ２３ａを設けた構成になっているので、軽量化と高剛性化が図られている。
【００１８】
次に、図８を参照して本考案の第２の実施の形態を説明する。この場合には、異なるタイプの小便器６１に適用した例を示すものである。この実施の形態における小便器６１は、高さ方向に短く構成されたものであり、背面壁体６３と、側面壁体６５と底面壁体６７とから構成されている。
【００１９】
また、そこに使用されている小便器用踏み台２１は前記第１の実施の形態のものと同じ構成のものであり、同一部分には同一符号を付して示しその説明は省略する。
【００２０】
このような構成でも前記第１の実施の形態と同様の効果を奏することができる。
【００２１】
尚、本考案は前記第１、第２の実施の形態に限定されるものではない。
例えば、踏み台本体とマットとを一体化させた構成も考えられる。
又、設置位置固定手段の構成としては図示したもの以外にも様々な構成のものが考えられる。
その他、各部品の形状、大きさ、材質はこれを特に限定するものではない。
【産業上の利用可能性】
【００２２】
本考案は、小便器用踏み台に係り、特に、小便器の側に向けて下り勾配に構成することにより、放尿時に尿が確実に小便器内に入るように工夫したものに関し、例えば、ホテル、駅、飛行場等の小便器用の踏み台として好適である。
【図面の簡単な説明】
【００２３】
【図１】本考案の第１の実施の形態を示す図で、小便器用踏み台を小便器の周囲の所定位置に設置した状態を示す斜視図である。
【図２】本考案の第１の実施の形態を示す図で、小便器用踏み台の分解斜視図である。
【図３】本考案の第１の実施の形態を示す図で、小便器用踏み台を小便器の周囲の所定位置に設置した状態を示す平面図である。
【図４】本考案の第１の実施の形態を示す図で、小便器用踏み台を小便器の周囲の所定位置に設置した状態を示す背面図である。
【図５】本考案の第１の実施の形態を示す図で、図３のＶ−Ｖ断面図である。
【図６】本考案の第１の実施の形態を示す図で、図３のＩＶ−ＩＶ断面図である。
【図７】本考案の第１の実施の形態を示す図で、小便器の使用状態を示す側面図である。
【図８】本考案の第２の実施の形態を示す図で、小便器用踏み台を小便器の周囲の所定位置に設置した状態を示す斜視図である。
【図９】従来例を示す図で、小便器の使用状態を示す側面図である。
【符号の説明】
【００２４】
１  小便器
３  床
５  壁
２１  小便器用踏み台
２３  踏み台本体
２５  マット
２９  凸条部
３１  凸条部
４１  設置位置固定手段
４３  板状スライド部材
４５  吸着パット
４７  ねじ部材
【図１】
0003109775.tif 000003
【図２】
0003109775.tif 000004
【図３】
0003109775.tif 000005
【図４】
0003109775.tif 000006
【図５】
0003109775.tif 000007
【図６】
0003109775.tif 000008
【図７】
0003109775.tif 000009
【図８】
0003109775.tif 000010
【図９】
0003109775.tif 000011